(57)【要約】      （修正有）【課題】移動時の方向転換を容易に行いうる天然芝育成用照明装置を提供する。【解決手段】天然芝育成用照明装置は、フレームを支持する主支持脚３と、主支持脚３の下端に取り付けられた移動用キャスタとを有する。左側の前後の移動用キャスタが車輪4aの向きが自在に変わる自在キャスタ４である。自在キャスタ４は、垂直回転中心線O1の周りに回転しうる回転枠15と、回転枠15に、同一水平回転中心線O2の周りに回転自在となるように間隔をおいて取り付けられ、かつ互いに独立して回転する偶数個の車輪4aとを有する。垂直回転中心線O1の両側にそれぞれ同数の車輪4aを配置する。全車輪4aの幅および外径が等しく、垂直回転中心線O1が車輪4aの外径の範囲内に位置している。垂直回転中心線O1の片側の車輪4aと他側の車輪4aとが、水平回転中心線O2と直交するとともに垂直回転中心線O1が位置する平面を対称面として面対称となっている。【選択図】図６
2016152797.tif 000002
【特許請求の範囲】
【請求項１】
フレームと、フレームを支持する３以上の支持脚と、支持脚の下端に取り付けられた移動用キャスタと、フレームに設けられた灯具取付部と、灯具取付部に取り付けられた灯具とを備えた天然芝育成用照明装置であって、
少なくとも１つの移動用キャスタが車輪の向きが自在に変わる自在キャスタであり、当該自在キャスタが、支持脚の下端に設けられ、かつ垂直回転中心線の周りに回転しうる回転枠と、回転枠に、同一水平回転中心線の周りに回転自在となるように間隔をおいて取り付けられ、かつ互いに独立して回転する偶数個の車輪とを有し、前記回転枠の回転中心である前記垂直回転中心線の両側にそれぞれ同数の車輪が配置され、すべての車輪の幅および外径が等しくなっており、前記回転枠の回転中心である前記垂直回転中心線が車輪の外径の範囲内に位置し、前記垂直回転中心線の片側の車輪と他側の車輪とが、前記水平回転中心線と直交するとともに前記垂直回転中心線が位置する平面を対称面として面対称となるように配置されている天然芝育成用照明装置。
【請求項２】
前記自在キャスタの車輪の数が２個であり、前記回転枠の回転中心である前記垂直回転中心線の両側にそれぞれ１個の車輪が配置されている請求項１記載の天然芝用照明装置。
【請求項３】
前記自在キャスタの回転枠の回転中心である前記垂直回転中心線が、支持脚における自在キャスタ側の端部の範囲内に位置している請求項１または２記載の天然芝育成用照明装置。
【請求項４】
フレームが水平状であるとともに平面から見て方形であり、フレームの４つの角部に、支持脚が設けられ、４つの支持脚のうち少なくとも左側または右側の前後１対の支持脚に、前記自在キャスタが設けられている請求項１〜３のうちのいずれかに記載の天然芝育成用照明装置。
【請求項５】
フレームに、長手方向が左右方向に向き、かつフレームに対して長手方向に進出・退入自在である少なくとも１つの灯具取付用可動ビームと、長手方向が左右方向に向き、かつフレームに対して固定状である少なくとも１つの灯具取付用固定ビームとが設けられ、灯具が固定ビームおよび可動ビームに取り付けられ、可動ビームの進出方向前端部に、可動ビームの進出時に可動ビームの先端を支持する副支持脚が設けられるとともに、副支持脚の下端に可動ビーム案内用キャスタが取り付けられ、可動ビームの退入時に、副支持脚の可動ビーム案内用キャスタの下端が、支持脚の移動用キャスタの下端よりも上方に位置するようになされている請求項１〜４のうちのいずれかに記載の天然芝育成用照明装置。
【請求項６】
支持脚の移動用キャスタおよび副支持脚の可動ビーム案内用キャスタが、車輪本体と車輪本体の周囲に嵌められたゴムタイヤとからなる請求項５記載の天然芝育成用照明装置。
【発明の詳細な説明】
【技術分野】
【０００１】
この発明は、たとえばサッカースタジアム、ラグビー競技場、陸上競技場、テニス競技場、野球場などグランドに植えられている天然芝の維持管理に使用される天然芝育成用照明装置に関する。
【０００２】
この明細書および特許請求の範囲において、図１および図３の上下、左右を上下、左右というものとし、図２および図４の下側（図５の右側）を前、これと反対側を後というものとする。
【背景技術】
【０００３】
上述した競技場のグランドに植えられている天然芝の維持管理は、従来、養生の際に太陽光により自然に育成することが一般的であった。しかしながら、太陽光による育成には時間がかかるという問題があった。しかも、スタンドや、屋根などの構築物が存在する場合には、長時間日陰となる部分が生じることを避け得ず、日当たりの悪い場所では天然芝の育成が遅くなるとともに、日当たりの良い場所と悪い場所では天然芝に育成むらが生じるという問題があった。
【０００４】
そこで、天然芝の育成の促進するとともに、育成むらの発生を抑制するために、上述した競技場の天然芝の養生の際に、天然芝に人工光を照射する装置が考えられている(特許文献１参照)。
【０００５】
特許文献１記載の装置は、平面から見て方形の水平状フレームと、フレームの４つの角部に下方突出状に設けられ、かつフレームを支持する４つの支持脚と、支持脚の下端に取り付けられ、かつ同方向に回転するとともに向きが不変の車輪を有するキャスタと、フレームに対して固定状に設けられた複数の灯具取付用固定ビームと、灯具取付用固定ビームに取り付けられた複数の灯具を備えており、灯具取付用固定ビームに取り付けられた灯具から天然芝に人工光が照射されるようになっている。特許文献１記載の装置は、天然芝に人工光を照射する必要がない場合には収納庫に収納され、天然芝に人工光を照射する場合だけに、グランドの広さに応じた必要数の装置が天然芝上に配置されて用いられるものであり、支持脚下端のキャスタを利用して収納庫と天然芝上との間で移動させられるようになっている。
【０００６】
しかしながら、特許文献１記載の装置を、たとえばサッカースタジアムのグランドのような大規模グランドの天然芝の育成に使用する場合、装置の移動時の方向転換作業が面倒であるという問題がある。
【先行技術文献】
【特許文献】
【０００７】
【特許文献１】米国特許出願公開第２００１／００３５４６８号明細書
【発明の概要】
【発明が解決しようとする課題】
【０００８】
この発明の目的は、上記問題を解決し、特許文献１記載の装置に比べて移動時の方向転換作業が容易である天然芝育成用照明装置を提供することにある。
【課題を解決するための手段】
【０００９】
本発明は、上記目的を達成するために以下の態様からなる。
【００１０】
1)フレームと、フレームを支持する３以上の支持脚と、支持脚の下端に取り付けられた移動用キャスタと、フレームに設けられた灯具取付部と、灯具取付部に取り付けられた灯具とを備えた天然芝育成用照明装置であって、
少なくとも１つの移動用キャスタが車輪の向きが自在に変わる自在キャスタであり、当該自在キャスタが、支持脚の下端に設けられ、かつ垂直回転中心線の周りに回転しうる回転枠と、回転枠に、同一水平回転中心線の周りに回転自在となるように間隔をおいて取り付けられ、かつ互いに独立して回転する偶数個の車輪とを有し、前記回転枠の回転中心である前記垂直回転中心線の両側にそれぞれ同数の車輪が配置され、すべての車輪の幅および外径が等しくなっており、前記回転枠の回転中心である前記垂直回転中心線が車輪の外径の範囲内に位置し、前記垂直回転中心線の片側の車輪と他側の車輪とが、前記水平回転中心線と直交するとともに前記垂直回転中心線が位置する平面を対称面として面対称となるように配置されている天然芝育成用照明装置。
【００１１】
2)前記自在キャスタの車輪の数が２個であり、前記回転枠の回転中心である前記垂直回転中心線の両側にそれぞれ１個の車輪が配置されている上記1)記載の天然芝用照明装置。
【００１２】
3)前記自在キャスタの回転枠の回転中心である前記垂直回転中心線が、支持脚における自在キャスタ側の端部の範囲内に位置している上記1)または2)記載の天然芝育成用照明装置。
【００１３】
4)フレームが水平状であるとともに平面から見て方形であり、フレームの４つの角部に、支持脚が設けられ、４つの支持脚のうち少なくとも左側または右側の前後１対の支持脚に、前記自在キャスタが設けられている上記1)〜3)のうちのいずれかに記載の天然芝育成用照明装置。
【００１４】
5)フレームに、長手方向が左右方向に向き、かつフレームに対して長手方向に進出・退入自在である少なくとも１つの灯具取付用可動ビームと、長手方向が左右方向に向き、かつフレームに対して固定状である少なくとも１つの灯具取付用固定ビームとが設けられ、灯具が固定ビームおよび可動ビームに取り付けられ、可動ビームの進出方向前端部に、可動ビームの進出時に可動ビームの先端を支持する副支持脚が設けられるとともに、副支持脚の下端に可動ビーム案内用キャスタが取り付けられ、可動ビームの退入時に、副支持脚の可動ビーム案内用キャスタの下端が、支持脚の移動用キャスタの下端よりも上方に位置するようになされている上記1)〜4)のうちのいずれかに記載の天然芝育成用照明装置。
【００１５】
6)支持脚の移動用キャスタおよび副支持脚の可動ビーム案内用キャスタが、車輪本体と車輪本体の周囲に嵌められたゴムタイヤとからなる上記5)記載の天然芝育成用照明装置。
【発明の効果】
【００１６】
上記1)〜6)の天然芝育成用照明装置によれば、少なくとも１つの移動用キャスタが車輪の向きが自在に変わる自在キャスタであり、当該自在キャスタが、支持脚の下端に設けられ、かつ垂直回転中心線の周りに回転しうる回転枠と、回転枠に、同一水平回転中心線の周りに回転自在となるように間隔をおいて取り付けられ、かつ互いに独立して回転する偶数個の車輪とを有し、前記回転枠の回転中心である前記垂直回転中心線の両側にそれぞれ同数の車輪が配置され、すべての車輪の幅および外径が等しくなっており、前記回転枠の回転中心である前記垂直回転中心線が車輪の外径の範囲内に位置し、前記垂直回転中心線の片側の車輪と他側の車輪とが、前記水平回転中心線と直交するとともに前記垂直回転中心線が位置する平面を対称面として面対称となるように配置されているので、装置の移動時の方向転換作業を、自在キャスタの回転枠を前記垂直回転中心線の周りに回転させてすべての車輪の向きを変えることによって、スムーズに行うことができる。また、自在キャスタのすべての車輪が互いに独立して回転するとともに、回転枠の回転中心である前記垂直回転中心線が、車輪の外径の範囲内でかつ両車輪間に位置しているので、装置の移動時の方向転換作業の際の回転半径を小さくすることができる。さらに、自在キャスタが偶数個の車輪を有するので、各車輪から天然芝生に加わる荷重が小さくなり、天然芝の傷みを抑制することができる。
【００１７】
上記3)の天然芝育成用照明装置によれば、装置の移動時の方向転換作業を一層スムーズに行うことができるとともに、装置の移動時の方向転換作業の際の回転半径を効果的に小さくすることができる。
【００１８】
上記5)の天然芝育成用照明装置によれば、天然芝の育成時には、可動ビームをフレームに対して進出させた状態で、可動ビームおよび固定ビームに取り付けられた灯具から天然芝に人工光を照射することができる。したがって、天然芝の育成をむらなく促進することができる。しかも、特許文献１記載の装置に比較して、１つの装置で人工光を照射することができる範囲が広くなり、大規模グランドの天然芝の育成に使用する場合にも使用する装置の数を少なくすることが可能になる。その結果、移動させる装置の数が少なくなって移動作業を比較的簡単に行うことができる。さらに、天然芝に人工光を照射する必要がない場合には、可動ビームをフレームに対して退入させることにより小型化を図ることが可能になるので、個々の装置の移動作業を比較的簡単に行うことができるとともに、競技場の天然芝の育成に必要な全装置を収納庫に収納する際の収納スペースを小さくすることができる。
【００１９】
また、装置の移動時に可動ビームをフレームに対して退入させた状態では、副支持脚の可動ビーム案内用キャスタの下端が主支持脚の下端よりも上方に位置するので、可動ビームのフレームに対する進出および退入をスムーズに行うことができるとともに、天然芝の傷みを抑制することができる。一方、可動ビームをフレームに対して進出させた状態では、支持脚および副支持脚によって支持されるので、天然芝に人工光を照射する際には装置全体を安定させることができる。
【００２０】
さらに、照射すべき人工光の光量子束密度や、人工光を照射すべき範囲に応じて、進出位置の他に、可動ビームを退入位置や、進出位置と退入位置との間の中間位置に移動させて人工光を照射することが可能になる。たとえば、サッカースタジアムのゴール前では特に天然芝の傷みが激しくなる傾向にあり、この部分の天然芝の育成の際には、照射すべき人工光の光量子束密度を高くすることが効果的であるが、この場合には、可動ビームを退入位置に移動させて人工光を照射することが好ましい。
【図面の簡単な説明】
【００２１】
【図１】この発明の天然芝育成用照明装置の全体構成を示し、可動ビームが退入位置にある状態の正面図である。
【図２】図１の天然芝育成用照明装置の全体構成を示し、可動ビームが退入位置にある状態の平面図である。
【図３】図１の天然芝育成用照明装置の全体構成を示し、可動ビームが進出位置にある状態の正面図である。
【図４】図１の天然芝育成用照明装置の全体構成を示し、可動ビームが進出位置にある状態の平面図である。
【図５】図１の天然芝育成用照明装置を示す可動ビームが退入位置にある状態の左側面図である。
【図６】図５の部分拡大図である。
【図７】図６のＡ−Ａ線断面図である。
【図８】この発明の天然芝育成用照明装置の他の実施形態を示す図６相当の図である。
【図９】図８のＢ−Ｂ線断面図である。
【発明を実施するための形態】
【００２２】
以下、この発明の実施形態を、図面を参照して説明する。
【００２３】
図１〜図５はこの発明の天然芝育成用照明装置の全体構成を示し、図６および図７はその要部の構成を示す。
【００２４】
以下の説明において、「アルミニウム」という用語には、純アルミニウムの他にアルミニウム合金を含むものとする。
【００２５】
図１〜図５において、天然芝育成用照明装置(1)は、水平状のアルミニウム製フレーム(2)と、フレーム(2)を支持する３以上、ここでは４つのアルミニウム製主支持脚(3)と、主支持脚(3)の下端に取り付けられた移動用キャスタ(4)(5)と、長手方向が左右方向を向きかつフレーム(2)に対して進出・退入自在に設けられた少なくとも１つ、ここでは２つの灯具取付用のアルミニウム製可動ビーム(6)と、長手方向を可動ビーム(6)の長手方向（左右方向）に向けた状態で、フレーム(2)に対して固定状に設けられた少なくとも１つ、ここでは１つの灯具取付用のアルミニウム製固定ビーム(7)と、可動ビーム(6)の進出方向前端部に設けられかつ可動ビーム(6)の進出時に可動ビーム(6)の先端を支持するアルミニウム製副支持脚(8)と、副支持脚(8)の下端に取り付けられた可動ビーム案内用キャスタ(9)と、固定ビーム(7)および可動ビーム(6)に取り付けられた複数のＬＥＤ灯具(11)とを備えており、可動ビーム(6)の退入時に、副支持脚(8)の可動ビーム案内用キャスタ(9)の下端が主支持脚(3)のキャスタ(4)(5)の下端よりも上方に位置するようになされたものである。
【００２６】
フレーム(2)は、平面から見て可動ビーム(6)および固定ビーム(7)の長手方向（左右方向）に長い長方形状であり、長手方向を左右方向に向けた状態で前後方向に間隔をおいて配置された１対の長尺枠部材(2a)と、長手方向を左右方向に向けて配置されかつ両長尺枠部材(2a)の長手方向両端部どうしを連結する短尺部材(2b)とからなる。フレーム(2)の４つの角部に、主支持脚(3)が下方突出状に設けられている。前後両側に配置された２つの主支持脚(3)の下部どうしおよび左右両側に配置された２つの主支持脚(3)の下部どうしの間には、それぞれ中桟(12)が配置されて主支持脚(3)に固定されている。フレーム(2)の左右いずれか一端側、ここでは左端側の前後２つの主支持脚(3)に取り付けられた移動用キャスタは、車輪(4a)の方向が自在に変えられる自在キャスタ(4)であり、同他端部の２つの主支持脚(3)に取り付けられた移動用キャスタは、向きが不変でかつ前後方向を向いた水平回転中心線の周りに回転する車輪(5a)を有する固定キャスタ(5)である。
【００２７】
図５〜図７に示すように、自在キャスタ(4)は、主支持脚(3)の下端に設けられ、かつ主支持脚(3)の長手方向にのびる垂直回転中心線(O1)の周りに回転しうる回転枠(15)と、回転枠(15)に、同一水平回転中心線(O2)の周りに回転自在となるように水平回転中心線(O2)の長手方向に間隔をおいて取り付けられ、かつ互いに独立して回転する偶数個、ここでは２個の車輪(4a)とを有しており、回転枠(15)の回転中心である垂直回転中心線(O1)の両側にそれぞれ同数、ここでは１個の車輪(4a)が配置されている。回転枠(15)は、主支持脚(3)の下端に固定された水平取付板(16)の下面に固定された固定部(15a)と、固定部(15a)に対して垂直回転中心線(O1)の周りに回転しうる回転部(15b)と、回転部(15b)に互いに間隔をおくように一体に設けられた下方突出状保持部(15c)とよりなる。図示は省略したが、各車輪(4a)は、車輪本体と車輪本体の周囲に嵌められたゴムタイヤとからなり、回転枠(15)の両保持部(15c)間に渡し止められた水平軸(17)に、水平回転中心線(O2)の周りに回転しうるように取り付けられている。２個の車輪(4a)の幅および外径が等しくなっている。回転枠(15)の回転中心である垂直回転中心線(O1)の片側の車輪(4a)と他側の車輪(4a)とは、水平回転中心線(O2)と直交するとともに垂直回転中心線(O1)が位置する平面を対称面として面対称となるように配置されている。換言すれば、回転枠(15)の回転中心である垂直回転中心線(O1)は、両車輪(4a)間の中心に位置している。また、回転枠(15)の回転中心である垂直回転中心線(O1)は、車輪(4a)の外径の範囲内、たとえば車輪(4a)の外径の中心でかつ主支持脚(3)における自在キャスタ(4)側の端部の範囲内に位置している。
【００２８】
図示は省略したが、固定キャスタ(5)は、上述した自在キャスタ(4)の回転枠(15)の回転部(15b)を、ストッパにより固定部(15a)および水平取付板(16)に対して回転しないように固定したものであってもよい。
【００２９】
フレーム(2)に、長手方向が左右方向を向きかつ可動ビーム(6)を案内する２つのアルミニウム製レール(13)が、前後方向に間隔をおいて配置されている。レール(13)は、左右両端部がフレーム(2)から突出した状態でフレーム(2)の両短尺枠部材(2b)の下面に溶接などの適当な方法により固定されている。可動ビーム(6)はレール(13)に対して相対的に移動し、レール(13)によって案内されるようになされている。ここで、前側の可動ビーム(6)は、図１〜図４の左側に進出するとともに、同図の右側に退入するので、当該可動ビーム(6)に関しては同図の左側が進出方向前端部（退入方向後端部）で、これとは反対側が進出方向後端部（退入方向前端部）である。また、後側の可動ビーム(6)は、図１〜図４の右側に進出するとともに、同図の左側に退入するので、当該可動ビーム(6)に関しては同図の右側が進出方向前端部（退入方向後端部）で、これとは反対側が進出方向後端部（退入方向前端部）である。
【００３０】
可動ビーム(6)は横断面Ｔ形であって、垂直壁が灯具取付部(24)となっており、その下部はレール(13)の下方に突出している。そして、灯具取付部(24)におけるレール(13)よりも下方に突出した部分に、ＬＥＤチップが実装されたＬＥＤパッケージを有する複数のＬＥＤ灯具(11)が、着脱自在に取り付けられている。
【００３１】
固定ビーム(7)は、可動ビーム(6)と同様に横断面Ｔ形であって、水平壁の前後両側縁部が、それぞれ溶接などの適当な方法で前後のレール(13)に固定されており、これにより固定ビーム(7)がレール(13)を介してフレーム(2)に固定されている。また、固定ビーム(7)の垂直壁が灯具取付部(24)となっており、灯具取付部(24)に、ＬＥＤチップが実装されたＬＥＤパッケージを有する複数のＬＥＤ灯具(11)が、着脱自在に取り付けられている。
【００３２】
図５に示すように、可動ビーム(6)の副支持脚(8)は、可動ビーム(6)の進出方向前端部に垂下状に固定された１つの第１垂直部材(29)と、第１垂直部材(29)の下端に、長手方向が前後方向を向くとともに第１垂直部材(29)が長手方向の中央部に位置するように固定された板状の第１水平部材(31)と、第１水平部材(31)の前後両端部にそれぞれ垂下状に固定された２つの第２垂直部材(32)と、両第２垂直部材(32)の下端に跨って固定された板状の第２水平部材(33)とを備えている。第２水平部材(33)下面の前後両端部に、向きが不変でかつ前後方向を向いた水平回転中心線の周りに回転する車輪(9a)を有する可動ビーム案内用キャスタ(9)が取り付けられている。また、第１垂直部材(29)に、可動ビーム(6)を退入位置と進出位置との間で移動させる際につかむ把手(34)が取り付けられている。
【００３３】
ここで、副支持脚(8)における可動ビーム(6)の水平壁上面から可動ビーム案内用キャスタ(9)の車輪(9a)の下端までの垂直距離は、主支持脚(3)における可動ビーム(6)の水平壁上面から自在キャスタ(4)および固定キャスタ(5)の車輪(4a)(5a)の下端までの垂直距離よりも短くなっている。
【００３４】
なお、図示は省略したが、電力を外部電源からＬＥＤ灯具(11)に供給する電力供給用キャブタイヤコードが、ＬＥＤ灯具(11)の上方に配置されていることが好ましい。また、図示は省略したが、主支持脚(3)および副支持脚(8)におけるＬＥＤ灯具(11)よりも下方に位置する部分に、７０％以上の反射率を有する塗料、たとえば硫酸バリウム系、酸化チタン系の白色塗料が塗布されていることが好ましい。
【００３５】
可動ビーム(6)は、フレーム(2)に対して、図１および図２に示す退入位置と、図３および図４に示す進出位置との間で移動する。
【００３６】
可動ビーム(6)が退入位置にあるときには、副支持脚(8)における可動ビーム(6)の上面から可動ビーム案内用キャスタ(9)の車輪(9a)の下端までの垂直距離が、主支持脚(3)における可動ビーム(6)の上面から自在キャスタ(4)および固定キャスタ(5)の車輪(4a)(5a)の下端までの垂直距離よりも短くなっていることによって、副支持脚(8)の可動ビーム案内用キャスタ(9)の車輪(9a)の下端が主支持脚(3)の自在キャスタ(4)および固定キャスタ(5)の車輪(4a)(5a)の下端よりも上方に位置するようになされている。
【００３７】
一方、可動ビーム(6)が進出位置にあるときには、可動ビーム(6)が、重力により進出方向前端部が下方に移動するように傾き、副支持脚(8)の可動ビーム案内用キャスタ(9)の車輪(9a)が接地する。したがって、可動ビーム(6)は、進出方向前端部が副支持脚(8)により支持される。
【００３８】
上述した天然芝育成用照明装置は、不使用時には可動ビーム(6)が退入位置に移動させられた状態で収納庫などに収納されている。この状態では、可動ビーム(6)が進出位置にあるときに比較して天然芝育成用照明装置(1)の全長が短くなるので、収納スペースの省スペース化を図ることができる。
【００３９】
競技場の天然芝の養生の際に、天然芝にＬＥＤ灯具(11)から人工光を照射する必要が生じた際には、収納時と同様に可動ビーム(6)を退入位置に移動させた状態で、フレーム(2)の主支持脚(3)の自在キャスタ(4)および固定キャスタ(5)を利用して競技場のグランドまで動かす。ついで、グランドの大きさに応じた必要数の天然芝育成用照明装置(1)をグランドに配置した後、可動ビーム(6)を進出位置まで移動させる。このとき、副支持脚(8)の可動ビーム案内用キャスタ(9)の車輪(9a)がスペーサ(35)を介して接地する。
【００４０】
この状態で、可動ビーム(6)および固定ビーム(7)に取り付けられたＬＥＤ灯具(11)により天然芝に人工光を照射する。なお、ＬＥＤ灯具(11)の高さ位置は、天然芝の育成に必要な光量子束密度を確保するために必要最少数のＬＥＤ灯具(11)を使用した上で、天然芝育成用照明装置(1)から発せられる光量子束密度を均一化しうる高さ位置としておく。天然芝への人工光の照射は、照射すべき人工光の光量子束密度や、人工光を照射すべき範囲に応じて、進出位置の他に、可動ビーム(6)を退入位置や、進出位置と退入位置との間の中間位置に移動させて人工光を照射してもよい。
【００４１】
天然芝への人工光の照射が終了すると、可動ビーム(6)をフレーム(2)に対して退入させて副支持脚(8)の可動ビーム案内用キャスタ(9)の車輪(9a)の下端を主支持脚(3)の自在キャスタ(4)および固定キャスタ(5)の車輪(4a)(5a)の下端よりも上方に移動させる。この状態で、フレーム(2)の主支持脚(3)の自在キャスタ(4)および固定キャスタ(5)を利用して収納庫まで動かす。
【００４２】
図８および図９は、この発明の天然芝育成用照明装置の他の実施形態を示す。
【００４３】
図８および図９に示すように、当該他の実施形態の天然芝育成用照明装置の場合、自在キャスタ(4)は、回転枠(15)に、同一水平回転中心線(O2)の周りに回転自在となるように水平回転中心線(O2)の長手方向に間隔をおいて取り付けられ、かつ互いに独立して回転する偶数個、ここでは４個の車輪(4a)を有しており、回転枠(15)の回転中心である垂直回転中心線(O1)の両側にそれぞれ同数、ここでは２個の車輪(4a)が配置されている。４つの車輪(4a)の幅および外径が等しくなっている。回転枠(15)の回転中心である垂直回転中心線(O1)の片側の両車輪(4a)と他側の両車輪(4a)とは、水平回転中心線(O2)と直交するとともに垂直回転中心線(O1)が位置する平面を対称面として面対称となるように配置されている。また、回転枠(15)の回転中心である垂直回転中心線(O1)は、車輪(4a)の外径の範囲内、たとえば車輪(4a)の外径の中心でかつ主支持脚(3)における自在キャスタ(4)側の端部の範囲内に位置している。
【産業上の利用可能性】
【００４４】
この発明による天然芝育成用照明装置は、サッカースタジアム、ラグビー競技場、陸上競技場、テニス競技場、野球場などグランドに植えられている天然芝に人工光を照射するために好適に用いられる。
【符号の説明】
【００４５】
(1)：天然芝育成用照明装置
(2)：フレーム
(3)：主支持脚
(4)：自在キャスタ(移動用キャスタ）
(4a)：車輪
(5)：固定キャスタ(移動用キャスタ）
(6)：可動ビーム
(7)：固定ビーム
(8)：副支持脚
(9)：可動ビーム案内用キャスタ
(9a)：車輪
(11)：ＬＥＤ灯具
(O1)：垂直回転中心線
(O2)：水平回転中心線
【図１】
2016152797.tif 000003
【図２】
2016152797.tif 000004
【図３】
2016152797.tif 000005
【図４】
2016152797.tif 000006
【図５】
2016152797.tif 000007
【図６】
2016152797.tif 000008
【図７】
2016152797.tif 000009
【図８】
2016152797.tif 000010
【図９】
2016152797.tif 000011